(57)【要約】【課題】  横枠や縦枠と共に一体成型された連通路に設けられるサッシ窓の換気装置を提供する【解決手段】  サッシ窓の横枠または縦枠の一方側と共に室内と室外とを結ぶ長手方向に長い連通路が一体成型され、この連通路の室内側開口部にフラップと回動軸とカムとにより構成され既にユニット化された換気手段が設けられてなるサッシ窓の換気装置【選択図】図５
2008057304.tif 000002
【特許請求の範囲】
【請求項１】
サッシ窓の横枠およびまたは縦枠のうち少なくとも一方側と共に、室内と室外とを結ぶ長手方向に長い連通路が一体成型され、この連通路の室内側開口部または長手方向に長い凹溝を有する室内側開口部にフラップと回動軸とカムとにより構成され既にユニット化された換気手段が設けられてなることを特徴とするサッシ窓の換気装置
【請求項２】
凹溝を有した室内側開口部に設けられたユニット化された換気手段の外装置上記凹溝に対する凸状の山脈を有したネジを用いない嵌め込み固定式のものであることを特徴とする請求項１記載のサッシ窓の換気装置
【請求項３】
凹溝を有した室内側開口部に設けられたユニット化された換気手段の取付けがネジを用いない上記凹溝に対する凸状の山脈を有した嵌め込み式のものであり、その固定手段にくさび状のものが用いられることを特徴とする請求項２記載のサッシ窓の換気装置
【請求項４】
ユニット化された換気手段の駆動部が更にユニット化されて分離され、このユニット化された駆動部が手動式と電気式の２種類あって容易に交換可能であることを特徴とする請求項１乃至請求項３記載のサッシ窓の換気装置
【請求項５】
このユニット化された換気手段の収納ケースが片方の端部を除き長手方向に対して直角方向に切断する時どこを切っても切断面が同じ形状であることを特徴とする請求項１乃至請求項４記載のサッシ窓の換気装置
【発明の詳細な説明】
【技術分野】
【０００１】  本発明はビルや住宅の窓部を構成するサッシ用の窓に設けられる換気装置に関する。
【背景技術】
【０００２】  ここ最近、省エネや環境問題が叫ばれてエコが流行し、そのため自然換気を取り入れる方法が種々工夫されてきていた。例えば無目を利用して室内を換気する装置（特許文献１参照）や建物外壁に換気口を設け建物内外を連通させた風洞を設け風洞内に風量調整弁を設けた自然換気装置（特許文献２参照）などが提供されてきていた。【０００３】
【特許文献１】  特開昭５９−２８０７号公報
【特許文献２】  特開平１０−２３２０３９号公報  図１、図４と第３ページ段落００１５〜段落００１７
【発明の開示】
【発明が解決しようとする課題】
【０００４】  両者とも無目を利用した換気装置であるが窓枠とは別にそれぞれ無目の大きさに応じてその中に内に入り込む換気装置の形状を設計しなくてはならなかった。このため大量生産してコストダウンを図ることが困難であった。また、特許文献１のものは回動蓋により室内への風の流出量を手動により調整することが出来るが自動的に調整することが出来ないという不都合があり、特許文献２の図１、図４はそれぞれ下枠、上枠に設けられた定風量自然換気装置であり、それぞれに風量調整弁、逆流制御弁が設けられているが逆流制御は室内から機械的に放出される場合は必要であるが自然換気の場合は不要なものであり余分な装置の取り付けという不都合があった。本発明はかかる不都合を解決することを目的として提供されたものである。
【課題を解決するための手段】
【０００５】  本発明者は無目の活用というよりいっそのことサッシ窓と換気開口部とを一体成型してそこに換気装置を嵌め込んではどうかという発想を行なった。一体成型することによって大量生産が可能になるという発想から以下に示すサッシ窓の換気装置を発明した。それはすなわち一つはサッシ窓の横枠およびまたは縦枠のうち少なくとも一方側と共に室内と室外とを結ぶ長手方向に長い連通路が一体成型され、この連通路の室内側開口部または長手方向に長い凹溝を有する室内側開口部にフラップと回動軸とカムとにより構成され既にユニット化された換気手段が設けられてなることを特徴とするサッシ窓の換気装置であり、また一つは凹溝を有した室内側開口部に設けられたユニット化された換気手段の取付けがネジを用いない嵌め込み固定式のものであることを特徴とするサッシ窓の換気装置であり、また一つは凹溝を有した室内側開口部に設けられたユニット化された換気手段の取付けがネジを用いない嵌め込み式のものであり、その固定手段にくさび状のものが用いられることを特徴とするサッシ窓の換気装置であり、また一つはユニット化された換気手段の駆動部が更にユニット化されて分離され、このユニット化された駆動部が手動式と電気式の２種類あって容易に交換可能であることを特徴とするサッシ窓の換気装置であり、また一つはこのユニット化された換気手段の収納ケースが片方の端部を除き長手方向に対して直角方向に切断する時どこを切っても切断面が同じ形状であることを特徴とするサッシ窓の換気装置である。
【発明の効果】
【０００６】  上記したサッシ窓はあらかじめ一体成型化されて換気用の開口部が設けられているため、建物の設計段階から通風ダクト形状を気にしないでそのまま窓枠一体型として組み込むことが可能であるため設計容易であり、大量生産が可能である。また、このサッシ窓には複数個の換気装置の取り付けが可能であり換気回数を減少させることも出来る。また、そこに嵌め込む換気装置はすでにその寸法形状が分かっているため別の場所でユニット化して製造することが可能であり、収納ケースは片方の端部を除き長手方向に対して直角方向に切断する時どこを切っても切断面が同じ形状であるため長さに対する融通性が大きくそのため換気装置自体も大量生産が可能である。更に、この換気装置は駆動部を手動式にするか電気式にするかの選択可能であり、駆動部自身もユニット化されているため内部設計が容易であり、組立交換もまた容易である。また、凹溝を有した室内側開口部にしてあるため収納ケース側にあらかじめ山部を設けておけばネジを使用しないで嵌め込むことが出来るし、収納部が少し大き目であれば一方のみ凹溝に嵌め込み他方をくさび状のものを用いて固定することが可能である。
【発明を実施するための最良の形態】
【０００７】  まずサッシ窓２０の構成を示すと、図１は一体成型されたサッシ窓を用いてカーテンウォールに構成された建物の外観図であり、図中丸印で囲んだ部分の断面を拡大して示したものが図２である。図２はサッシ窓と一体成型された横枠部に換気手段が設けられるように構成されたサッシ窓２０である。図２において空間部と記載されているがこの空間部にフラップと回動軸とカムとにより構成され既にユニット化された後で述べる各種タイプの換気装置が設けられてなる。【０００８】  図３は方形をした２重窓のサッシ窓ユニットの断面図であり、これは上下左右のいずれの位置にもフラップ２と回動軸３とカム４とにより構成され既にユニット化された換気装置１が設けられるように構成されたサッシ窓ユニットであり、したがって図３は縦断面図でありまた横断面図でもある。図４もまた縦断面図であり横断面図でもある。図４は横枠部あるいは縦枠部のうち一方のみにフラップ２と回動軸３とカム４とにより構成され既にユニット化された換気装置１が設けられ、もう一方は蓋５が取り付けされて連通路２５が密閉状態にあり室内への空気流入は遮断される構成になっていることを示している。図２〜図４において空間部と記載され網線で囲った部分はフラップ２と回動軸３とカム４とにより構成され既にユニット化された換気装置１が既に装着されていることを示し図４に示すように空白部で蓋５が装着されている部分は換気装置１が装着されていないことを示している。【０００９】  まず上記したサッシ窓２０に設けられる換気装置実施例１の構成について説明すると、図５は実施例１の換気装置の構成を示す斜視図であり、図６は図５で示した内部部分の断面図であって全閉状態を示したものであり、図７は全開状態を示したものであり上記サッシ窓の空間部に装着された状態を示しており、図８は図５に示す通り駆動部２４を電動式にしたもので、図９は手動による開閉を行なう場合のものでその外観は図１３の斜視図における駆動部と同様のものである。【００１０】  図５〜図９において、この換気装置１は収納ケース６の上面側に長手方向に長い開口部７ｂが設けられサッシ窓２０の空間部に設置された時収納ケース外側から空気漏れのないように収納ケース６の両側底には密閉シート８が敷かれ収納ケース６は空間部にネジ留めされている。収納ケース６内部の長手方向両端部と中間部にはフラップガイド９が設けられ、その上部には長手方向両端を軸受１０、１０により支持された回動軸３にカム４が取り付けされ、回動軸３の片方端は駆動部２４側へ突出して駆動モータ１１のモータ軸とカップリングを介して連結されている。また、カム４の上にはフラップ２が載置されフラップ２の上面には密閉シート８が設けられてなる。これは全閉時に収納ケース６から空気漏れのないように上面の開口部７ｂを密閉するための構成である。また、フラップ２はフラップガイド９により回転出来ないように規制されているためカム４の回動によって上下動のみおこなう構成になっているし、長手方向にも移動しないようにフラップ移動防止用のフラップガイド（図示せず）が設けられてなるものである。なお、カム４の最大値、最小値はリミットスイッチ（図示せず）により規制停止される。上面���開口部７ｂの上には更に意匠性のある吹き出し口１５付の収納ケース蓋１６が設けられて室内にマッチしたものになっている。【００１１】  次に実施例１の手動式における駆動部の構成について説明すると、図９に示したように駆動部２４において両端を軸受１０により軸支されてなる回転ハンドル１２に連結されたタイミングプーリ１３と突出された回動軸３に設けられたタイミングプーリ１３とがタイミングベルト１４により連結されてなるものである。【００１２】  次に動作について説明すると、換気装置１の閉スイッチ１７を入れるかあるいは回転ハンドル１２を回すとその回転は回動軸３を回動させそれに伴ってカム４が回動するためカム４の上に載置されたフラップ２は次第に上昇して収納ケース上面の開口部７ｂを塞いでゆき、最高点でフラップ２と密着シート８とにより収納ケース６内上面の開口部７ｂは密閉されるため室内への空気の流入はない。次に開スイッチを押すかまたは回転ハンドル１２を反対方向に回すと軸連結された回動軸３が逆転して同様にカム４が回動し下からの圧迫のなくなったフラップ２は自重により下降して収納ケース上面の開口部７ｂを開くことになり室内へ空気が流入することになる。【００１３】  次に実施例２の構成について説明する。図１０は本発明実施例２の換気装置の構成を示す斜視図であり、図１１は図１０で示した内部部分の断面図であって全閉状態を示したものであり、図１２は全開状態を示したものであり上記サッシ窓の空間部に装着された状態を示したものである。実施例２は実施例１の収納ケース用蓋１６とフラップ２とが合体されたものであり、以後同じ動作・作用のものは同じ名称同じ番号を用いる。【００１４】  図１０〜図１２において、この換気装置１は収納ケース６の底より少し上に長手方向に長い開口部７ｂが設けられサッシ窓２０の空間部に設置された時収納ケース外側から空気漏れのないように収納ケース６底には密閉シート８が敷かれて収納ケース６は空間部にネジ留めされているものである。蓋の裏面側と、蓋と一体型になったフラップ２の下面にも密閉シート８が貼り付けられ全閉時に吹き出し部と上側開口部７ｂとが同じく密閉可能構造になっている。またフラップ２の両側面の両端部と中間部には下部に圧縮コイルスプリング１８の収容穴を有するフラップガイド９があらかじめネジ留めされて設けられている。回動軸３は空洞筒状のフラップ内部を挿通され両端側を軸受１０により軸支され、一方は駆動部へと突出されている。カム４は回動軸３のフラップガイド９の取り付け位置とほぼ同様の位置に軸固定されている。これらはあらかじめ収納ケース６の長手方向より圧縮コイルスプリング１８の収納共々挿入した上で収納ケース６の側面が取り付けされてユニット化されたものになっている。また長手方向のフラップ２の長さはフラップ２が上下動しても内部の軸受けには接触しない長さにしてあり、長手方向に移動しないようにフラップ移動防止用のフラップガイド（図示せず）が設けられてなるものである。なお、駆動部２の構成については実施例１と同様であるため省略する。【００１５】  次に動作について説明すると、換気装置１の閉スイッチ１７を入れるかあるいは回転ハンドル１２を回すとその回転は回動軸３を回動させそれに伴ってカム４が回動するためカム４の上に載置されたフラップ２は次第に下降し、フラップガイド９も圧縮コイルスプリング１８を圧縮させながら収納穴内部に収納させながら収納ケース上面の開口部７ｂと収納ケース吹き出し口とを塞いでゆき、最下点でフラップ２と密閉シート８とにより収納ケース６内上面の開口部７ｂは密閉されるため室内への空気の流入はない。次に開スイッチを押すかまたは回転ハンドル１２を反対方向に回すと軸連結された回動軸３が逆転して同様にカム４が回動しそれに伴って圧縮スプリングの１８の伸び力によってフラップ２は上昇して収納ケース上面の開口部７ｂの密閉を解除することになり室内へ空気は流入することになる。【００１６】  次に実施例３の構成について説明する。図１３は本発明実施例３の換気装置１の構成を示す斜視図であり、図１４は図１３で示した内部部分の断面図であって全閉状態を示したものであり、図１５は全開状態を示したものであり上記サッシ窓２０の空間部に装着された状態を示したものである。実施例３は空間部に対して少し狭いためサッシ窓２０の凹溝を有する開口部の凹溝１９に嵌まり込むように収納ケース６の外側面に凸状の山型筋（図示せず）が設けられており、凹溝１９とくさび２１と、により収納ケース６を、ビス類を使用せずに固定させるように構成した。また実施例３は収納ケース６の内部の長手方向にあらかじめフラップ２の回転部を保持する保持溝２２を設け、フラップ２の開口部側には密閉シートを貼り付け、カム４側のカム４と当接する位置には押圧補助具２３が設けられてカムが回動することによって押圧補助具２３が押圧されてフラップ２が密閉シート８と共に収納ケース６の上面側開口部７ｂを塞ぐように構成されたものである。なお、回動軸３、カム４の取り付け方法及び駆動部２４の構成については前の実施例１、実施例２と同様であるため省略する。【００１７】  次に動作について説明すると、換気装置１の閉スイッチ１７を入れるかあるいは回転ハンドル１２を回すとその回転は回動軸３を回動させそれに伴ってカム４が回動し、フラップ２の裏側に設けられた押圧補助具２３に当接すると以後フラップ２は収納ケース６内部の保持溝２２の中心点を基点に図１５に示す上昇の矢印方向に順次進んでカム４の最高点でフラップ２と密閉シート８とにより収納ケース６内上面の開口部７ｂは密封されるため室内への空気の流入はない。次に開スイッチを押すかまたは回転ハンドル１２を反対方向に回すと軸連結された回動軸３が逆転して同様にカム４が回動しそれに伴ってフラップ２は自重により開放方向に回動して収納ケース上面の開口部７ｂの密閉を解除することになり室内へ空気は流入することになる。
【図面の簡単な説明】
【００１８】
【図１】  一体成型されたサッシ窓を用いてカーテンウォールに構成された建物の外観図
【図２】  図１中の丸印で囲んだ部分の断面拡大図
【図３】  方形２重窓のサッシ窓ユニットの断面図
【図４】  方形２重窓のサッシ窓ユニットの断面図
【図５】  実施例１の換気装置の構成を示す斜視図
【図６】  図５で示した内部部分の全閉時における断面図
【図７】  図５で示した内部部分の全開時における断面図
【図８】  図５に示す駆動部を電動式にしたものの構成説明図
【図９】  図５に示す駆動部を手動式にしたものの構成説明図
【図１０】  実施例２の換気装置の構成を示す斜視図
【図１１】  図１０で示した内部部分の全閉時における断面図
【図１２】  図１０で示した内部部分の全開時における断面図
【図１３】  実施例３の換気装置の構成を示す斜視図
【図１４】  図１３で示した内部部分の全閉時における断面図
【図１５】  図１３で示した内部部分の全開時における断面図
【符号の説明】
【００１９】  １  換気装置
２  フラップ
３  回動軸
４  カム
５  蓋
６  収納ケース
７ａ、７ｂ開口部
８、密閉シート
９  フラップガイド
１０  軸受
１１  モータ
１２  回転ハンドル
１３  タイミングプーリ
１４  タイミングベルト
１５  吹き出し口
１６  収納ケース用蓋
１７  スイッチ
１８  コイルスプリング
１９  凹溝
２０  サッシ窓
２１  くさび
２２  保持溝
２３  押圧補助具
２４  駆動部
２５  連通路
【図１】
2008057304.tif 000003
【図２】
2008057304.tif 000004
【図３】
2008057304.tif 000005
【図４】
2008057304.tif 000006
【図５】
2008057304.tif 000007
【図６】
2008057304.tif 000008
【図７】
2008057304.tif 000009
【図８】
2008057304.tif 000010
【図９】
2008057304.tif 000011
【図１０】
2008057304.tif 000012
【図１１】
2008057304.tif 000013
【図１２】
2008057304.tif 000014
【図１３】
2008057304.tif 000015
【図１４】
2008057304.tif 000016
【図１５】
2008057304.tif 000017